(57)【要約】【課題】  ＯＦＤＭ受信装置において、送受信間におけるサンプリング周波数のずれにより生ずるＯＦＤＭシンボルの位相変化を簡便に補正すること。【解決手段】  ＯＦＤＭ受信装置１は、受信したＯＦＤＭ信号からシンボル同期を確立し、その確立後は、装置内部において発生させたクロックを用いて、ＦＦＴ窓の適用タイミングを設定する。そして、受信したＳＰ信号から検出した、ＦＦＴ窓のずれにより生じた位相変化を基に、各ＯＦＤＭシンボルに対し、位相変化の補正を行う。具体的には、ＦＦＴ後の信号に対し、所定のデジタル信号処理を行うことで位相変化を補正することが可能である。したがって、送信側におけるサンプリング周波数と、ＯＦＤＭ受信装置１におけるサンプリング周波数の誤差により生じた位相変化を簡便に補正することが可能である。【選択図】  図１
2006108763.tif 000002
【特許請求の範囲】
【請求項１】
受信したＯＦＤＭ信号を所定タイミングでサンプリングし、復調処理を行うＯＦＤＭ受信装置であって、
前記受信したＯＦＤＭ信号を、受信側において発生させたクロックに基づくタイミングでサンプリングするサンプリング手段と、
前記サンプリングによって抽出されたシンボルにおいて、シンボル間に発生している位相変化を検出する位相変化検出手段と、
前記位相変化検出手段によって検出されたシンボル間の位相変化に基づいて、前記サンプリングによって抽出された各シンボルにおける位相を補正する位相補正手段と、
を含むことを特徴とするＯＦＤＭ受信装置。
【請求項２】
前記位相変化検出手段は、
前記サンプリング手段によってサンプリングされた同一サブキャリアのパイロット信号間において発生している位相変化を検出するパイロット位相変化検出手段と、
前記パイロット位相変化検出手段によって検出された前記パイロット信号間の位相変化から、前記サンプリングによって抽出された各シンボル間の位相変化を算出するシンボル位相変化検出手段と、
を含むことを特徴とする請求項１記載のＯＦＤＭ受信装置。
【請求項３】
前記パイロット位相変化検出手段は、所定サブキャリアにおけるスキャタードパイロット信号間の位相変化を検出し、
前記シンボル位相変化検出手段は、前記スキャタードパイロット信号間に発生している位相変化を、該サブキャリアにおける前記スキャタードパイロット信号のシンボル周期に応じて除算することにより、各シンボル間の位相変化を算出することを特徴とする請求項１または２記載のＯＦＤＭ受信装置。
【請求項４】
前記位相補正手段は、前記位相変化検出手段によって検出されたシンボル間の位相変化に基づいて、前記サンプリング後の受信信号に所定の演算処理を施すことにより、各シンボルにおける位相を補正することを特徴とする請求項１から３のいずれか１項に記載のＯＦＤＭ受信装置。
【請求項５】
前記位相変化検出手段によって検出された各シンボル間に発生している位相変化が、前記サンプリング手段におけるサンプリングタイミングの所定サンプル分に対応する位相変化量より大きいものとなった場合に、前記サンプリング手段におけるサンプリングのタイミングを、該位相変化を減少させる時間方向に所定サンプル分変化させるトラッキング手段をさらに含むことを特徴とする請求項１から４のいずれか１項に記載のＯＦＤＭ受信装置。
【請求項６】
受信したＯＦＤＭ信号を所定タイミングでサンプリングし、復調処理を行うＯＦＤＭ受信処理に関する制御を行うためのＯＦＤＭ受信制御プログラムであって、
前記受信したＯＦＤＭ信号を、受信側において発生させたクロックに基づくタイミングでサンプリングするサンプリング機能と、
前記サンプリングによって抽出されたシンボルにおいて、シンボル間に発生している位相変化を検出する位相変化検出機能と、
前記位相変化検出機能によって検出されたシンボル間の位相変化に基づいて、前記サンプリングによって抽出された各シンボルにおける位相を補正する位相補正機能と、
をコンピュータに実現させることを特徴とするＯＦＤＭ受信制御プログラム。
【請求項７】
受信したＯＦＤＭ信号を所定タイミングでサンプリングし、復調処理を行うＯＦＤＭ受信方法であって、
前記受信したＯＦＤＭ信号を、受信側において発生させたクロックに基づくタイミングでサンプリングするサンプリングステップと、
前記サンプリングによって抽出されたシンボルにおいて、シンボル間に発生している位相変化を検出する位相変化検出ステップと、
前記位相変化検出ステップにおいて検出されたシンボル間の位相変化に基づいて、前記サンプリングによって抽出された各シンボルにおける位相を補正する位相補正ステップと、
を含むことを特徴とするＯＦＤＭ受信方法。
【発明の詳細な説明】
【技術分野】
【０００１】
本発明は、位相振幅補正に用いるスキャタードパイロット信号をサブキャリアに含めて送信するＯＦＤＭ伝送システムにおけるＯＦＤＭ受信装置、ＯＦＤＭ受信制御プログラムおよびＯＦＤＭ受信方法に関する。
【背景技術】
【０００２】
近年、地上波デジタル放送等において、ＯＦＤＭ（Orthogonal Frequency Division Multiplexing）伝送が用いられている。
ＯＦＤＭ伝送においては、中心周波数が異なり互いに直交するように帯域を割り当てた複数のサブキャリアが用いられる。そして、送信するデータを分割し、分割した各データをこれらのサブキャリアに乗せて並列に送信する。
【０００３】
また、ＯＦＤＭ伝送では、各サブキャリアにおいて送信されるＯＦＤＭシンボルにガードインターバルが付加されている。ガードインターバルは、有効シンボルの末尾の部分がＯＦＤＭシンボルの先頭に付加されたものであり、これにより、マルチパス干渉の発生が抑制される。
このようなＯＦＤＭ伝送では、受信側において、受信信号とそれを１ＯＦＤＭシンボル分遅延させた信号とにおける相関ピークをとることにより、各ＯＦＤＭシンボルの分離（シンボル同期の確立）が可能となる。
【０００４】
そして、引き続く処理において、分離されたＯＦＤＭシンボルに対し、ＦＦＴ（Fast Fourier Transform）を施すこととなる。
ＦＦＴを施す際には、各ＯＦＤＭシンボルに対し、有効シンボル長に等しい窓関数（ＦＦＴ窓）が適用される。
このとき、受信信号から確立されたシンボル同期を基に、各ＯＦＤＭシンボルに対するＦＦＴ窓のタイミングを設定すると、ＦＦＴ後の信号において、位相のばらつきが大きくなってしまう。これは、伝送路特性により、各ＯＦＤＭシンボルにおける相関ピークにばらつきが生ずるためである。
【０００５】
そこで、受信信号からＦＦＴ窓のタイミングを一旦設定した後は、受信装置内部のクロックによってサンプリング周波数を設定し、以後のＯＦＤＭシンボルに対するＦＦＴ窓のタイミングを決定している。
ところが、受信装置内部において発生させたサンプリング周波数と、送信されたＯＦＤＭ信号のサンプリング周波数とは必ずしも整合せず、ずれを生じる場合がある。そして、このようなずれが生じると、ＦＦＴ窓の適用タイミング（ＦＦＴ窓タイミング）が徐々に変化し、復調された信号に位相の誤差が生ずることとなる。
【０００６】
すると、ＯＦＤＭ伝送において、伝送路を推定し、受信側で位相および振幅を補正するために挿入されているスキャタードパイロット（ＳＰ：Scattered Pilot）信号も位相の誤差を有する状態で復調されることとなり、ＳＰ信号に基づく正確な伝送路推定が困難なものとなる。
このような事態を防止するため、ＯＦＤＭ受信装置において、受信信号から確立した同期を基に、サンプリング周波数を設定する発振器を適切に制御することにより、送受信間における同期の誤差を解消する技術が知られている（例えば、特許文献１参照）。
【特許文献１】特開２００３−８５４４号公報
【発明の開示】
【発明が解決しようとする課題】
【０００７】
しかしながら、特許文献１に記載された技術においては、受信側におけるサンプリング周波数を設定する発振器を電圧制御型の可変発振器等にする必要があり、必要な電圧を生成するためのＤ／Ａコンバータが必要となる等、回路面積や消費電力が増大するといった問題があった。
このように、ＯＦＤＭ受信装置において、送受信間におけるサンプリング周波数のずれにより生ずるＯＦＤＭシンボルの位相変化を簡便に補正することは困難であった。
【０００８】
本発明の課題は、ＯＦＤＭ受信装置において、送受信間におけるサンプリング周波数のずれにより生ずるＯＦＤＭシンボルの位相変化を簡便に補正することである。
【課題を解決するための手段】
【０００９】
以上の課題を解決するため、本発明は、
受信したＯＦＤＭ信号を所定タイミングでサンプリングし、復調処理を行うＯＦＤＭ受信装置であって、前記受信したＯＦＤＭ信号を、受信側において発生させたクロックに基づくタイミングでサンプリングするサンプリング手段（例えば、図１のシンボル同期部１６およびＦＦＴ部１７）と、前記サンプリングによって抽出されたシンボルにおいて、シンボル間に発生している位相変化を検出する位相変化検出手段（例えば、図１のＳＰ抽出部１９、４シンボル遅延部２０、位相差検出部２１、平均化部２２および補正値算出部２３）と、前記位相変化検出手段によって検出されたシンボル間の位相変化に基づいて、前記サンプリングによって抽出された各シンボルにおける位相を補正する位相補正手段（例えば、図１の位相補正部１８）とを含むことを特徴としている。
【００１０】
このような構成により、受信したＯＦＤＭ信号に対し、ＯＦＤＭ受信装置内部等、受信側において発生させたクロックを用いて、サンプリングタイミングが設定される。そして、受信したＯＦＤＭ信号から検出した位相変化を基に、各シンボルに対し位相の補正を行う。
したがって、送信側におけるサンプリング周波数と、ＯＦＤＭ受信装置におけるサンプリング周波数のずれにより生じた位相変化を簡便に補正することが可能となる。
【００１１】
また、前記位相変化検出手段は、前記サンプリング手段によってサンプリングされた同一サブキャリアのパイロット信号間において発生している位相変化を検出するパイロット位相変化検出手段（例えば、図１のＳＰ抽出部１９、４シンボル遅延部２０および位相差検出部２１）と、前記パイロット位相変化検出手段によって検出された前記パイロット信号間の位相変化から、前記サンプリングによって抽出された各シンボル間の位相変化を算出するシンボル位相変化検出手段（例えば、補正値算出部２３）とを含むことを特徴としている。
【００１２】
このような構成により、同一のサブキャリア内に挿入された所定のパイロット信号について位相変化を検出することにより、その位相変化から、各シンボルについての位相変化を算出することができる。
したがって、各シンボルについての位相変化を簡便に検出することが可能となる。
また、前記パイロット位相変化検出手段は、所定サブキャリアにおけるスキャタードパイロット信号間の位相変化を検出し、前記シンボル位相変化検出手段は、前記スキャタードパイロット信号間に発生している位相変化を、該サブキャリアにおける前記スキャタードパイロット信号のシンボル周期に応じて除算することにより、各シンボル間の位相変化を算出することを特徴としている。
【００１３】
このような構成により、地上波デジタル放送（ＩＳＤＢ−Ｔ）において、位相振幅補正のために挿入されているＳＰ信号を利用して、送信側におけるサンプリング周波数と、ＯＦＤＭ受信装置におけるサンプリング周波数のずれにより生じた位相変化を補正することが可能となる。
また、前記位相補正手段は、前記位相変化検出手段によって検出されたシンボル間の位相変化に基づいて、前記サンプリング後の受信信号に所定の演算処理（例えば、発明を実施するための最良の形態における（１）式に基づく演算）を施すことにより、各シンボルにおける位相を補正することを特徴としている。
【００１４】
このような構成により、デジタル信号処理によって、簡便に上記位相変化を補正することができる。
また、前記位相変化検出手段によって検出された各シンボル間に発生している位相変化が、前記サンプリング手段におけるサンプリングタイミングの所定サンプル分に対応する位相変化量より大きいものとなった場合に、前記サンプリング手段におけるサンプリングのタイミングを、該位相変化を減少させる時間方向に所定サンプル分変化させるトラッキング手段（例えば、図１の位相変化基準値記憶部２４および位相比較部２５）をさらに含むことを特徴としている。
【００１５】
このような構成により、サンプリングタイミングが適切にトラッキングされるため、送受信間のサンプリング周波数の誤差によるサンプリングタイミングのずれが時間を追って際限なく増大することを防止でき、常に、ＯＦＤＭシンボルにおける適切な位置を選択してサンプリングを行うことが可能となる。
また、本発明は、
受信したＯＦＤＭ信号を所定タイミングでサンプリングし、復調処理を行うＯＦＤＭ受信処理に関する制御を行うためのＯＦＤＭ受信制御プログラムであって、前記受信したＯＦＤＭ信号を、受信側において発生させたクロックに基づくタイミングでサンプリングするサンプリング機能と、前記サンプリングによって抽出されたシンボルにおいて、シンボル間に発生している位相変化を検出する位相変化検出機能と、前記位相変化検出機能によって検出されたシンボル間の位相変化に基づいて、前記サンプリングによって抽出された各シンボルにおける位相を補正する位相補正機能とをコンピュータに実現させることを特徴としている。
【００１６】
また、本発明は、
受信したＯＦＤＭ信号を所定タイミングでサンプリングし、復調処理を行うＯＦＤＭ受信方法であって、前記受信したＯＦＤＭ信号を、受信側において発生させたクロックに基づくタイミングでサンプリングするサンプリングステップと、前記サンプリングによって抽出されたシンボルにおいて、シンボル間に発生している位相変化を検出する位相変化検出ステップと、前記位相変化検出ステップにおいて検出されたシンボル間の位相変化に基づいて、前記サンプリングによって抽出された各シンボルにおける位相を補正する位相補正ステップとを含むことを特徴としている。
【００１７】
このように、本発明によれば、ＯＦＤＭ受信装置において、送受信間におけるサンプリング周波数のずれにより生ずるＯＦＤＭシンボルの位相変化を簡便に補正することが可能となる。
【発明を実施するための最良の形態】
【００１８】
以下、図を参照して本発明に係るＯＦＤＭ受信装置の実施の形態を説明する。
初めに、本実施の形態に係るＯＦＤＭ受信装置において、送信側サンプリング周波数と受信側サンプリング周波数の誤差によって生ずる位相変化の補正方法について説明する。
まず、送信側におけるサンプリング周波数を“ｆ”、受信側におけるサンプリング周波数を“ｆ´”とすると、所定の係数“ａ”を用いて、
ｆ´＝（１＋ａ）×ｆ
と表すことができる。
【００１９】
すると、送信側サンプリング周波数と受信側サンプリング周波数の誤差“Δｆ”は、
Δｆ＝（１＋ａ）×ｆ−ｆ＝ａ×ｆ
となる。
ここで、送信側におけるサンプリング時間“Ｔ”（＝１／ｆ）と受信側におけるサンプリング時間“Ｔ´”（＝１／ｆ´）とのずれを正規化された時間差Δｔとして求めると、
Δｔ＝（Ｔ´−Ｔ）／Ｔ＝（１／ｆ´−１／ｆ）／（１／ｆ）＝（ｆ／ｆ´−１）＝（１／（１＋ａ）−１）
となる。
【００２０】
すると、ＯＦＤＭ信号においては、ＯＦＤＭシンボル長を“Ｔｓ”とすると、１シンボル毎にΔｔ×ＴｓだけＦＦＴ窓のタイミングがずれていくこととなり、これにより、送信側および受信側のサンプリング周波数の誤差による位相の回転が生ずることとなる。
そこで、受信側において、送信側とのサンプリング周波数のずれは、以下のように求められる。
【００２１】
即ち、ＯＦＤＭ信号における第ｋ番目のサブキャリアの第ｌ番目のシンボルに位置するＳＰ信号“Ｐ´（ｌ，ｋ）”は、第ｋ番目のサブキャリアにおける送信ＳＰ信号を“Ｐ（ｋ）”、有効シンボル長を“Ｔｕ”、伝送路周波数応答を“Ｈ（ｌ，ｋ）”とすると、
Ｐ´（ｌ，ｋ）≒ｅｘｐ（ｊ２πｋΔｔ×ｌ×Ｔｓ／Ｔｕ）×Ｐ（ｋ）×ｓｉｎｃ（πｋΔｔ）×Ｈ（ｌ，ｋ）
と表される。そのため、ＳＰ信号間（４シンボル間）伝送路に変動がないと仮定すると、ＳＰ信号間における位相変化“Δφ（ｋ）”は、
Δφ（ｋ）＝（２πΔｔ×４×Ｔｓ／Ｔｕ）×ｋ
と求められる。
【００２２】
したがって、受信信号におけるＳＰ信号のシンボル毎の位相変化Δφ（ｋ）から時間差“Δｔ”を算出することができ、この“Δｔ”から送受信間のサンプリング周波数ずれを推定することができる。
そして、このサンプリング周波数ずれは、以下のように補正することができる。
即ち、ＳＰ信号から把握された位相変化は、ＳＰ信号に限らず、他のシンボルにおいても同様であるとみなせるため、ＳＰ信号以外のデータサブキャリア“Ｄ´（ｌ，ｋ）”は、受信されたデータサブキャリア“Ｄ（ｌ，ｋ）”に対し、
Ｄ´（ｌ，ｋ）＝ｅｘｐ（−Δφ（ｋ）／４×ｌ）×Ｄ（ｌ，ｋ）              （１）
なる演算を行うことにより、送受信間のサンプリング周波数の誤差に起因する位相変化を補正することができる。
【００２３】
続いて、本発明を適用したＯＦＤＭ受信装置について説明する。
まず、構成を説明する。
図１は、本発明に係るＯＦＤＭ受信装置１の全体構成を示す図である。
図１において、ＯＦＤＭ伝送システム１は、アンテナ１１と、高周波部１２と、発振器１３と、Ａ／Ｄ（Analog to Digital）変換部１４と、ＧＩ相関部１５と、シンボル同期部１６と、ＦＦＴ部１７と、位相補正部１８と、ＳＰ抽出部１９と、４シンボル遅延部２０と、位相差検出部２１と、平均化部２２と、補正値算出部２３と、位相変化基準値記憶部２４と、位相比較部２５とを含んで構成される。
【００２４】
アンテナ１１は、送信側から送信されたＯＦＤＭ信号を受信し、高周波部１２に出力する。
高周波部１２は、アンテナ１１によって入力されたＯＦＤＭ信号に対し、バンドパスフィルタによるチャネルの切り出しおよび所定周波数のミキシングによるダウンコンバートを行い、処理後の信号をＡ／Ｄ変換部１４に出力する。
【００２５】
発振器１３は、Ａ／Ｄ変換部１４において受信信号をデジタル信号に変換する際のサンプリング周波数に対応する信号を生成する。
Ａ／Ｄ変換部１４は、高周波部１２によって入力された信号を、発振器１３によって生成された信号を用いてサンプリングすることによりデジタル信号に変換し、そのデジタル信号をＧＩ相関部１５およびＦＦＴ部１７に出力する。
【００２６】
ＧＩ相関部１５は、Ａ／Ｄ変換部１４によって入力された信号をＯＦＤＭシンボルの１シンボル分遅延させ、遅延後の信号と、Ａ／Ｄ変換部１４によって入力された信号との相関をとる。そして、ＧＩ相関部１５は、これらの相関をとった結果を示す信号をシンボル同期部１６に出力する。
シンボル同期部１６は、ＧＩ相関部１５によって入力された相関結果における相関ピークを検出し、その相関ピークを基に、シンボル同期を確立する。そして、シンボル同期部１６は、まず、確立されたシンボル同期に合わせて、ＯＦＤＭシンボルに対するＦＦＴ窓の適用タイミングを設定し、引き続くＯＦＤＭシンボルに対しては、ＯＦＤＭ受信装置１内部において生成されたクロック（例えば、発振器１３により発生したクロックや自装置のシステムクロック等）を用いてＦＦＴ窓の適用タイミングを設定する。
【００２７】
そして、シンボル同期部１６は、設定したＦＦＴ窓の適用タイミングをＦＦＴ部１７に出力する。
ＦＦＴ部１７は、Ａ／Ｄ変換部１４によって入力された信号における各ＯＦＤＭシンボルに、シンボル同期部１６によって入力されたＦＦＴ窓の適用タイミングでＦＦＴ窓を適用することにより、ＦＦＴを施す。
【００２８】
そして、ＦＦＴ部１７は、ＦＦＴの結果である周波数領域の信号、即ち、各サブキャリアに対応する信号を位相補正部１８に出力する。
位相補正部１８は、後述する補正値算出部２３によって算出された位相の補正値（Δφ（ｋ）／４×ｌ）を用いて、ＦＦＴ部１７によって入力された信号に対し、（１）式に従って位相の補正を行う。
【００２９】
そして、位相補正部１８は、位相補正後の信号（Ｐ´（ｌ，ｋ）およびＤ´（ｌ，ｋ））を、ＳＰ抽出部１９および後段の復号処理を行う回路に出力する。
ＳＰ抽出部１９は、位相補正部１８によって入力された信号から、スキャタードパイロット信号（ＳＰ信号：Scattered Pilot信号）を抽出し、４シンボル遅延部２０および位相差検出部２１に出力する。
【００３０】
４シンボル遅延部２０は、ＳＰ抽出部１９によって抽出されたＳＰ信号をＯＦＤＭシンボルの４シンボル分遅延させ、遅延後の信号を位相差検出部２１に出力する。
位相差検出部２１は、ＳＰ抽出部１９によって入力されたＳＰ信号と、４シンボル遅延部２０によって入力された遅延後のＳＰ信号とを比較し、位相変化（Δφ（ｋ））を検出する。
【００３１】
そして、位相差検出部２１は、受信されたＯＦＤＭ信号において、位相変化（Δφ（ｋ））を順次検出し、検出した位相変化を平均化部２２に出力する。
平均化部２２は、位相差検出部２１によって入力された位相変化（Δφ（ｋ））を一定期間に渡って平均化し、平均化後の位相変化（Δφ（ｋ））を補正値算出部２３に出力する。
【００３２】
補正値算出部２３は、平均化部２２によって入力された平均化後の位相変化（Δφ（ｋ））を１ＯＦＤＭシンボルあたりの位相変化（Δφ（ｋ）／４×ｌ）に変換し、１ＯＦＤＭシンボル毎の位相変化を、位相補正部１８および位相比較部２５に出力する。
位相変化基準値記憶部２４は、各サブキャリアにおいて、ＦＦＴ窓が１サンプル（即ち、サンプリング周波数の１周期）ずれた場合の位相変化量（Δφ１）を記憶しており、位相比較部２５によって、記憶している位相変化量が読み出される。
【００３３】
位相比較部２５は、補正値算出部２３によって入力された各サブキャリアにおける１ＯＦＤＭシンボル毎の位相変化（Δφ（ｋ）／４×ｌ）と、位相変化基準値記憶部２４が記憶している位相変化量とを比較する。そして、位相比較部２５は、いずれかのサブキャリアについて、補正値算出部２３によって入力された位相変化（Δφ（ｋ）／４×ｌ）が、位相変化基準値記憶部２４に記憶されている位相変化量より大きいものとなった場合、シンボル同期部１６に対し、ＦＦＴ窓のタイミングを位相変化（Δφ（ｋ）／４×ｌ）が減少する方向に１サンプルずらす指示を出力し、ＦＦＴ窓のトラッキングを行う。
【００３４】
これにより、ＦＦＴ窓のタイミングのずれが時間を追って際限なく増大する事態を防ぐことができる。
次に、動作を説明する。
ＯＦＤＭ受信装置１が、アンテナ１１を介してＯＦＤＭ信号を受信すると、高周波部１２において、所定チャネルが切り出された後、ダウンコンバートされて中間周波数帯の信号とされる。
【００３５】
すると、その中間周波数帯の信号がＡ／Ｄ変換部１４においてデジタル信号に変換され、ＧＩ相関部１５で検出された相関から、シンボル同期部１６がシンボル同期を確立する。
そして、シンボル同期部１６において確立されたシンボル同期およびＯＦＤＭ受信装置１内部におけるクロックから生成されたサンプリング周波数に基づく所定のタイミングで、Ａ／Ｄ変換部１４の出力信号にＦＦＴ窓が適用され、ＦＦＴ部１７においてＦＦＴが施される。
【００３６】
次いで、ＦＦＴ部１７の出力信号に対し、位相補正部１８において所定の補正値に基づく補正が行われる。
この結果得られた信号は、後段の復号処理に引き渡される。
一方、位相補正部１８の出力信号は、送受信間におけるサンプリング周波数の誤差から生ずる位相変化の補正のためにフィードバックされる。
【００３７】
即ち、位相補正部１８の出力信号は、ＳＰ抽出部１９に入力され、ＳＰ信号が抽出される。
そして、位相差検出部２１において、ＳＰ抽出部１９において抽出されたＳＰ信号と、４シンボル遅延部２０において４ＯＦＤＭシンボル分遅延されたＳＰ信号との位相変化が検出される。
【００３８】
このようにして検出された位相変化が、平均化部２２に順次入力され、平均化部２２において、一定期間に渡るＳＰ信号の位相変化が平均化される。
すると、この平均化された位相変化から、補正値算出部２３において１ＯＦＤＭシンボルあたりの位相変化が算出され、位相補正部１８に、位相の補正値として入力される。
また、補正値算出部２３において算出された１ＯＦＤＭシンボルあたりの位相変化は、位相比較部２５に入力され、位相変化基準値記憶部２４に記憶された位相変化量と比較される。
【００３９】
そして、位相比較部２５において、１ＯＦＤＭシンボルあたりの位相変化が、位相変化基準値記憶部２４に記憶された位相変化量より大きいものと判定されると、位相比較部２５からシンボル同期部１６に、ＦＦＴ窓のタイミングを位相変化が減少する方向に１サンプルずらす指示が入力される。
ＯＦＤＭ受信装置１は、ＯＦＤＭ信号の受信期間中、このような動作を継続することにより、ＦＦＴ窓のずれを適宜トラッキングしつつ、各シンボルの位相変化を補正する。
【００４０】
以上のように、本実施の形態に係るＯＦＤＭ受信装置１は、受信したＯＦＤＭ信号からシンボル同期を確立し、その確立後は、装置内部において発生させたクロックを用いて、ＦＦＴ窓の適用タイミングを設定する。そして、受信したＳＰ信号から検出した、ＦＦＴ窓のずれにより生じた位相変化を基に、各シンボルに対し位相の補正を行う。
具体的には、ＦＦＴ後の信号に対し、所定のデジタル信号処理（（１）式に基づく処理）を行うことで位相変化を補正することが可能である。
【００４１】
したがって、送信側におけるサンプリング周波数と、ＯＦＤＭ受信装置１におけるサンプリング周波数の誤差により生じた位相変化を簡便に補正することが可能である。
また、本実施の形態に係るＯＦＤＭ受信装置１は、ＦＦＴ窓が１サンプルずれた場合の位相変化量を記憶しておき、ＳＰ信号から検出した、ＦＦＴ窓のずれにより生じた位相変化が、１サンプル分の位相変化量より大きいものとなった場合に、ＦＦＴ窓を１サンプルずらす処理を行う。
【００４２】
したがって、ＦＦＴ窓の適用タイミングが適切なタイミングにトラッキングされるため、ＦＦＴ窓のタイミングのずれが時間を追って際限なく増大することを防止でき、常に、ＯＦＤＭシンボルにおける適切な位置を選択してＦＦＴを施すことが可能となる。
なお、本実施の形態においては、ＦＦＴ窓が１サンプルずれた場合の位相変化量を記憶しておき、ＳＰ信号から検出した、ＦＦＴ窓のずれにより生じた位相変化が、１サンプル分の位相変化量より大きいものとなった場合に、ＦＦＴ窓を１サンプルずらす場合について説明したが、１サンプルに限らず、２サンプル以上の単位で位相変化量の判定を行い、トラッキングを行うこととしても良い。
【図面の簡単な説明】
【００４３】
【図１】本発明に係るＯＦＤＭ受信装置１の全体構成を示す図である。
【符号の説明】
【００４４】
１  ＯＦＤＭ受信装置，１１  アンテナ，１２  高周波部，１３  発振器，Ａ／Ｄ変換部，１５  ＧＩ相関部，１６  シンボル同期部，１７  ＦＦＴ部，１８  位相補正部，１９  ＳＰ抽出部，２０  ４シンボル遅延部，２１  位相差検出部，２２  平均化部，２３  補正値算出部，２４  位相変化基準値記憶部，２５  位相比較部
【図１】
2006108763.tif 000003